(57)【特許請求の範囲】
【請求項１】
支持台と、
前記支持台上に維持される旗と、
前記旗の上面に全体又は一部領域を露出して、文字又は図形からなる露出部を備えた光繊維糸と、
前記光繊維糸に光又は映像を照射する電源モジュールとを含み、
前記電源モジュールは、光源部と、前記光源部に電源を供給する電源供給部と、前記光源部と前記電源供給部を制御する制御部とを含み、
前記露出部は、織造、刺繍、裁縫、ラミネート、パイピングの少なくともいずれか１つの方法によって、前記旗に装着され、
前記露出部の外面は色相を有する合成樹脂でコーティングされたことを特徴とする旗装置。
【請求項２】
前記旗は、国旗、掲揚用旗、スポーツ、行事案内及び里程標（マイルストーン）を示す三角旗、謹弔旗、肩帯、船舶識別用旗、食堂及び商店の営業案内用旗のいずれか１つであることを特徴とする請求項１に記載の旗装置。
【請求項３】
前記合成樹脂は防水用部材であることを特徴とする請求項１に記載の旗装置。
【請求項４】
前記電源供給部は、太陽電池板を含み、
前記電源モジュールは、前記支持台上に設けられ、
前記光繊維糸は、前記旗を前記支持台に連結する連結部材に内蔵されることを特徴とする請求項１に記載の旗装置。
【請求項５】
前記旗の一側には、前記露出部で発生する光を反射させる反射シートが設けられることを特徴とする請求項１に記載の旗装置。
【請求項６】
前記露出部は、前記光繊維糸の外面に、熱処理、レーザ加工、腐食又はエッチングによって、スクラッチ面が形成されることを特徴とする請求項１に記載の旗装置。
【請求項７】
前記光繊維糸には、芯材用原糸が設けられ、
前記芯材用原糸は、金属性繊維、合成繊維、動物性繊維のいずれか１つであり、
前記金属性繊維は、銀糸、鉄糸、チタン糸、アルミニウム糸、銅糸から択一され、前記合成繊維は、ナイロン、ポリエステル、アクリルから択一され、前記動物性繊維は、シルク又はくもの糸であることを特徴とする請求項１に記載の旗装置。
【発明の詳細な説明】
【技術分野】
【０００１】
本発明は、旗装置に関し、特に、光繊維による織造又は刺繍などの方法により、旗に表示された文字又は図形を、夜間にも容易に認識することができる旗装置に関する。
【背景技術】
【０００２】
一般に、旗は、国家を象徴する国旗、官公署、地方自治団体、学校、スポーツ、軍隊を象徴する掲揚用旗、行事案内及び里程標(マイルストーン)を示す三角旗、ペナント、謹弔旗、肩帯、船舶識別用旗、食堂及び商店用旗など、多い分野で使用されている。
【０００３】
すなわち、国旗は、祭日など、各種の記念日に愛国心を鼓吹させるために、各家庭や官公署及び道路周辺の街灯柱に掲げるようにしており、地方自治団体を象徴する各種の地方団体旗や各種の行事や祭りなどに使われる各種の旗も、地方自治団体の道路周辺に掲揚されるか、祭りや行事場周辺に向かう道路周辺又は行事場所周辺に設置されて、祭りや行事雰囲気を鼓吹させることに適切に活用されている。また、食堂、商店などでは、食堂、商店などで販売する飲食の種類、物品の種類、又はイベントなどを表示するための案内用旗が使われている。 
【０００４】
また、船舶には、船舶の大きさによって、艦首旗及び艦尾旗として、船舶の種類、国家などを示す旗が装着される。
【０００５】
また、湖、川、又は海で灯台又は浮標(又はブイ)のような表示手段として、旗が使用されている。このような表示手段のうち、浮標は、暗礁、水中障害物のような危険地域の報知、水中ケーブル、水中施設物のような施設位置の確認、養殖場、網のような漁業器具の境界表示のような様々な目的及び形態の報知手段として用いられる。このような浮標は、海、湖、又は川の底に設置される繋留構造物と、この構造物と鎖又はロープで繋がれる浮遊体とからなり、浮遊体は、単独又は群集形態、又は旗のような補助体と結合されて、必要な用途に用いられる。
【０００６】
このような旗を使用する技術の一例が、大韓民国公開特許公報第2011-0055990号(2011.05.26公開、特許文献１)、及び大韓民国登録実用新案公報第20-0440991号(2008.07.08登録、特許文献２)に開示されている。
【０００７】
例えば、上記特許文献１には、発電のための太陽光モジュール(又はソーラーセル)、発電した電力を充電するバッテリー、制御回路及び灯器具と、このような構成を固定するフレーム及びケースからなる浮遊体を用いた太陽光発電浮標について開示されている。
【０００８】
また、上記特許文献２には、図１に示しているように、船舶用安全旗として、安全表示旗１００を支持旗竿２００に取り付けた状態で、支持旗竿２００の下端部に弾性バネ３００を締結した後、弾性バネ３００の下端部を締結ボルト４００で、固定磁石６００及び支持ケース５００に締結して、船舶建造時に、ブロックのマンホール隣接部に支持ケース５００を載せたとき、支持旗竿２００に作業者が衝突するか、風がひどく吹いても、固定磁石６００の磁気力で位置がずれることを防止すると共に、弾性バネ３００の弾性力によって、支持旗竿２００を衝撃方向分動かせて、前記支持旗竿２００の破損を防止する構造について開示されている。
【発明の概要】
【発明が解決しようとする課題】
【０００９】
しかし、上述した従来の旗では、夜間に全くその効果を発揮することができないという問題があった。
【００１０】
特に、船舶に用いられる旗は、夜間識別のために、旗に向けて照明を照射しなければならないため、船舶の電力を要する。しかし、このように照明を照射しても、海風などによって旗が翻ると、照明を十分受けることができなず、旗を識別し難いという問題があった。
【００１１】
また、食堂や商店で営業用として使用する旗は、旗に書かれた文字又は図形を顧客に認識させるための照明手段を使用しければならないので、過度な電力消費が問題となっている。特に、電力消費が多い時期には、エネルギー消費の節減のために、このような広告は制限される。
【００１２】
本発明の目的は、上述したような問題点を解決するためになされたものであって、光繊維を用いて、夜間にも、船舶、食堂、商店などの旗に表示された文字又は図案を確実に認識できる旗装置を提供することである。
【００１３】
本発明の他の目的は、旗に表示された文字又は図案の認識のためのエネルギー消費を最小限にすることができる旗装置を提供することである。
【課題を解決するための手段】
【００１４】
上記目的を達成するために、本発明による旗装置は、支持台と、前記支持台上に維持される旗と、前記旗の上面に全体又は一部領域を露出して、文字又は図形からなる露出部を備えた光繊維糸と、前記光繊維糸に光又は映像を照射する電源モジュールとを含み、前記電源モジュールは、光源部と、前記光源部に電源を供給する電源供給部と、前記光源部と電源供給部を制御する制御部とを含み、前記露出部は、織造、刺繍、裁縫、ラミネート、パイピングの少なくともいずれか１つの方法により、前記旗に装着されることを特徴とする。
【００１５】
本発明による旗装置において、前記旗は、国旗、掲揚用旗、スポーツ、行事案内及び里程標(マイルストーン)を示す三角旗、謹弔旗、肩帯、船舶識別用旗、食堂及び商店の営業案内用旗のいずれか１つである。
【００１６】
また、本発明による旗装置において、前記露出部には、防水用部材によってコーティングされた保護層が設けられる。
【００１７】
さらに、本発明による旗装置において、前記電源供給部は、太陽電池板を含み、前記光源モジュールは、前記支持台上に設けられ、前記光繊維糸は、前記旗を前記支持台に連結する連結部材に内蔵される。
【００１８】
また、本発明による旗装置において、前記旗の一側には、露出部で発生する光を反射させる反射シートが設けられる。
【００１９】
更に、本発明による旗装置において、前記露出部は、前記光繊維糸の外面に、熱処理、レーザ加工、腐食又はエッチングによって、スクラッチ面が形成される。
【００２０】
また、本発明による旗装置において、前記光繊維糸には、芯材用原糸が設けられ、前記芯材用原糸は、金属性繊維、合成繊維、動物性繊維のいずれか１つであり、前記金属性繊維は、銀糸、鉄糸、チタン糸、アルミニウム糸、銅糸から択一され、前記合成繊維は、ナイロン、ポリエステル、アクリルから択一され、前記動物性繊維は、シルク又はくもの糸である。
【００２１】
さらに、本発明による旗装置において、前記光繊維糸に、一定の厚さでコーティングした合成樹脂層が設けられたことを特徴とする。
【発明の効果】
【００２２】
本発明による旗装置によると、船舶、食堂、商店などに用いられた旗を、夜間にも認識することができるという効果が得られる。
【００２３】
また、本発明による旗装置によると、太陽エネルギーを用いるので、化石エネルギーの消費を節減することができるという効果も得られる。
【図面の簡単な説明】
【００２４】
【図１】図１は、従来旗の使用の一例を示す図である。
【図２】図２は、本発明による旗装置の全体構成図である。
【図３】図３は、本発明による旗装置が、国旗掲揚台又は官公署、地方自治団体、学校、軍隊を象徴する掲揚台に装着された状態を示す図である。
【図４】図４は、本発明による旗装置に反射シートが装着された場合を説明するための図である。
【図５】図５は、本発明による旗装置が行事案内のための支持台に装着された状態を示す図である。
【図６】図６は、本発明による旗装置が食堂及び商店用旗として装着された状態を示す図である。
【図７】図７は、本発明による旗装置がＸＹバナー据置台に装着された状態を示す図である。
【図８】図８は、本発明による旗装置が船舶識別用旗として装着された状態を示す図である。
【図９】図９は、本発明による旗装置に適用される耐水性光繊維糸に関する斜視図である。
【発明を実施するための形態】
【００２５】
本発明の上記及びその他の目的と新規な特徴は、本明細書の技術及び添付の図面により、更に明確になる。
【００２６】
本発明に適用される用語である'旗'とは、"国旗、官公署、地方自治団体、学校、軍隊を象徴する掲揚用旗、行事案内及び里程標(マイルストーン)を示す三角旗、ペナント、謹弔旗、肩帯、船舶識別用旗、食堂及び商店用旗"を例に用いるが、これに限定されるものではなく、織物又は紙、合成樹脂、金属薄板から択一される。具体的には、合成樹脂繊維、動物性及び植物性繊維で製織された各種の布地、壁紙、皮、シート、合成樹脂フィルム、韓紙、不織布、スポンジ、金箔、銀箔、銅箔、両面及び単面テープのいずれかで形成されるものであって、文字又は図形を表示することができる品物を対象とする。
【００２７】
本発明に適用される用語である'織造'とは、光繊維と一般繊維の混用によりなされた旗を製造することを意味する。
【００２８】
本発明に適用される'刺繍'とは、平面からなる布、布切れ、ビニルなどに、光繊維を用いて、文字又は図形を刺繍することを意味する。
【００２９】
本発明に適用される'裁縫'とは、平面からなる布、布切れ、ビニルなどに、光繊維を針で固定することを意味する。
【００３０】
本発明に適用される'ラミネート'とは、平面からなる布、布切れ、ビニルなどの表面に、光繊維を接着などの方法で固定することを意味する。
【００３１】
本発明に適用される'パイピング(Piping)'とは、布地や皮又は各種の合成樹脂で製作される靴、帽子、かばん、又は各種の衣類などといった生活用品の縁に布目のほつれを防止し、裁縫線や成形仕上げ部分をこぎれいに処理するために、通常のバイアステープや直線テープ(母材)を開いてつけた後、これをパイプ形態で包んで織ってパイピング(piping)した後、そのパイピングした部分の内部に各種の材質の心材を入れて、裁縫又は接着によって付着して成形するか、合成樹脂と発光繊維を一緒に圧出成形したことを意味する。 
【００３２】
以下、本発明の構成を、図面によって説明する。
【００３３】
図２は、本発明による旗装置の全体構成図であり、図３は、本発明による旗装置が国旗掲揚台又は官公署、地方自治団体、学校、軍隊を象徴する掲揚台に装着された状態を示す図であり、図４は、本発明による旗装置に反射シートが装着された場合を説明するための図である。
【００３４】
図２及び図３に示しているように、本発明による光繊維を用いた旗装置１００は、旗２が支持台１０に維持された構造である。
【００３５】
前記旗装置１００は、前記旗２の表面に一部の領域を露出して、文字又は図形からなる露出部２１を備えた光繊維糸３と、前記光繊維糸３の後端を縛った束部４と、前記束部４を通じて前記光繊維糸３に光又は映像を照射する光源部５と、前記光源部５に電源を供給する電源供給部６と、前記光源部５と電源供給部６を制御する制御部７とを含む。
【００３６】
前記旗２は、従来の旗のように、合成樹脂繊維、動物性及び植物性繊維で製織された各種の布地を主として説明するが、これに限定されるものではない。
【００３７】
前記電源供給部６は、太陽電池板を含み、前記露出部２１は、上述したような織造、刺繍、裁縫、ラミネート、パイピングの少なくともいずれか１つの方法によって、前記旗２に形成される。 また、前記旗２は、格子型に区画されるか、それぞれのセルに、多数の光繊維糸３の各露出部２１のパターンを形成することができる。
【００３８】
上述したように、太陽電池板を備えた電源供給部６を設けることによって、旗装置１００に、光繊維糸３の発光のための電源を設けることができる。従って、従来の技術とは異なり、旗装置１００において、文字又は図形を認識させるための別の電源供給源を設ける必要がなく、簡便に旗装置を装着することができる。 
【００３９】
前記光繊維糸３における発光性能をより向上するために、内部に金属芯材が埋め立てられる構造を設けるのが望ましい。前記金属芯材は、表面に腐食又はめっきで光反射部が形成されるようにして、より光の散乱度を増加することができる。
【００４０】
また、前記光繊維糸３は、発光面積を極大化するために、露出部２１の径がより太く形成されるか、露出部２１を加熱器(図示せず)で圧着して、広く且つフラットな面積を有するように成形することができる。 
【００４１】
更に、本発明による旗２は、国旗、掲揚用旗、行事案内及び里程標(マイルストーン)を示す三角旗、謹弔旗、肩帯、船舶識別用旗、食堂及び商店の営業案内用旗のいずれか１つであって、従来の旗機能と同じ機能を有する材質で形成するのが望ましい。
【００４２】
一方、前記光繊維糸３の露出部２１が様々な形態で露出するように、前記旗２に取り付けられる。例えば、前記光繊維糸３の露出部２１は、光が発散するように、外面にスクラッチ面が形成される。前記スクラッチ面は、光繊維糸３の外面を損傷するスクラッチによって形成され、このようなスクラッチの形成は、サンドブラスト又はエッチングによる腐食、熱処理、レーザ加工など、様々な方法があり、このような方法は、公知の技術であるので、これに関する詳細な説明は、省略する。
【００４３】
また、前記露出部２１は、接着剤で付着するか、糸の裁縫によって固定される。
【００４４】
すなわち、図３に示しているように、旗２を貫通して、上面に露出した"ＬＴ"の文字からなる光繊維糸３を、旗２の上面に特定の文字又は図案形態で仮に配置した後、糸２２を裁縫(オーバーロック)するか、接着剤で付着することによって、所望する文字又は図案を形成することができる。
【００４５】
また、前記露出部２１は、前記で言及した形態に限定する必要はなく、より様々に変形実施されることは、言うまでもない。
【００４６】
一方、図３に示しているように、旗２は、連結部材３０により、支持台１０に装着される。このような連結部材３０の下部は、旗２と一体に形成された通常の紐からなり、上部は、光繊維糸３が内蔵した紐を使うことができる。すなわち、本発明に適用される光繊維糸３は、柔軟な材料であって、通常の繊維のように、連結部材３０の機能を備えることができる。
【００４７】
また、図３でのような構造では、電源供給部６が、支持台１０の上部に設けられ、太陽電池板を含む。前記束部４、光源部５、電源供給部６、及び制御部７は、図３に示しているように、１つの電源モジュール４０に設けることができる。
【００４８】
すなわち、支持台１０の上部に太陽電池板を備えた電源モジュール４０には、光繊維糸３が束部４を介して直接結合される構造である。このような結合構造は、本発明者が出願して公開された大韓民国公開特許公報10-2013-0077055(2013.07.09公開)に具体的に記載されている。
【００４９】
例えば、前記光繊維糸３の端は、複数の筋を縛って束形態にすることで、図２に示しているような束部４が形成されるようにする。図２に示しているような束部４は、多数の光繊維糸３を一定単位の束で、１以上の複数に分割形成されることができる。前記束部４は、端を同一の平面となるように切断し、多数の光繊維糸３の端を、接着剤又はテープで貼り付けて仕上げ処理し、このように形成された束部の端の平面が映像入力面となり、この映像入力面に、前記光源部５を密着させて、光照射又は映像照射が行われる。 
【００５０】
前記光源部５は、前記束部４に光又は映像を照射することで、ＬＥＤ、プロジェクタ、又はＯＬＥＤ広告板、ＴＶ、ＬＣＤＴＶ、ＰＤＰ、ＤＭＢ装置の機能を与えるのが望ましい。
【００５１】
また、本発明による前記旗２は、図４に示しているように、反射シート８を更に含むのが望ましい。
【００５２】
前記反射シート８は、前記露出部２１で発生する光を反射させる役目を果たし、本発明の実施例において、前記反射シート８は、ポリエチレンテレフタレート(PET-Polyethylene Terephtalate)フィルムで形成されており、前記ＰＥＴフィルムの表面に、銀又はアルミニウムが蒸着されるのが望ましい。
【００５３】
前記反射シート８を含むことにより、前記露出部２１で発生する光を全面に反射させて、旗装置１００全体の発光効率を向上することができる。 
【００５４】
一方、光繊維糸３が外部に露出したことにおいて、外部の摩擦による摩耗及び損傷を防止し、水分浸透を防止するために、前記光繊維糸３の露出部２１の外面に、防水用部材、例えば、樹脂でコーティングして、保護層を更に形成するのが望ましい。
【００５５】
前記樹脂は、透明又は色相を有する合成樹脂が望ましい。
【００５６】
本発明による旗装置の適用例を、図５〜図７によって説明する。
【００５７】
図５は、本発明による旗装置が行事案内のための支持台に装着された状態を示す図であり、図６は、本発明による旗装置が食堂及び商店用旗として装着された状態を示す図であり、図７は、本発明による旗装置がＸＹバナー据置台に装着された状態を示す図であり、図８は、本発明による旗装置が船舶識別用旗といて装着された状態を示す図である。
【００５８】
図５に示しているように、前記光繊維糸３の露出部２１は、前記光繊維糸３を旗２に縫って、部分的にのみ露出させる串縫い技法で形成した。
【００５９】
図５における例は、前記光繊維糸３の露出部２１が一定長さの線で露出することで、発光面積が広くなり、これにより、視認性が向上する。一方、図５の構造においても、支持台１０の上部に電源モジュール４０を設けることによって、自体的に光繊維糸の発光のための電源を設けることができる。 
【００６０】
上述したように、本発明による旗装置１００では、別の電源供給線が設けられない構造物にも簡便に設置し、露出部２１による発光によって、文字又は図形を備えた旗を、夜間にも容易に認識することができる。
【００６１】
また、前記露出部２１の構成は、上述した構造に限定されるものではなく、旗２の製作時に、織造によって文字又は図形を形成することができ、旗２の製作後に形成された文字又は図形に、光繊維糸３の露出部２１をラミネートして接着する構造を採択することもできる。 
【００６２】
前記旗２は、図６に示しているように、食堂及び商店用旗にも適用可能である。すなわち、図６に示しているように、例えば、飲食店の玄関門の上部に支持台１０を水平に装着し、この支持台１０の下部に向けて、文字又は図形が形成された多数の旗２を設ける構造を採択することができる。
【００６３】
図６に示しているような構造において、電源モジュール４０は、例えば、食堂の屋根などに設け、支持台１０を介して光繊維糸３を案内することによって、容易に実現することができる。また、図６に示している文字は、文字１つに対応する１つのセルを設けて、旗に装着するか、織造、パイピング、刺繍などにより、注文者のニーズによって製造することができる。
【００６４】
図６に示しているような旗装置１００を設けることによって、夜間にも別の照明装置なく、飲食店のメニューを十分に認識することができる。
【００６５】
また、本発明による旗２は、図７に示しているように、道路上に看板のように使われるＸＹバナー据置台にも適用することができる。
【００６６】
すなわち、本発明の旗装置１００を、ＸＹバナー据置台に適用する場合、通常のバナー据置台のメインパイプが支持台１０の機能を果たし、単面又は両面からなる旗２が、支持台１０によって支持され、露出部２１は、織造、刺繍、裁縫、ラミネート、パイピングの少なくともいずれか１つの方法によって旗２に装着され、バナー据置台の下部に設けられたベースが電源モジュール４０の機能を果たすことになる。図７に示しているような電源モジュール４０は、バッテリーを用いるのが望ましい。しかし、これに限定されるものではなく、前記支持台１０の上部に、太陽電池板を設けて使用することもできる。
【００６７】
また、本発明による旗２は、図８に示しているように、船舶の種類又は国家及び運航状態を示す船舶識別用旗にも適用可能である。すなわち、図８に示しているように、例えば、船舶の最上端に設けられた官制室又は帆柱に繋がれた紐によって、旗に適用可能である。
【００６８】
一方、本発明による旗装置１００を船舶に適用する場合、海水などによる汚染を防止するために、旗２の全体面をビニルなどの防水材質で保護層２５を設けるのが望ましい。図８に示しているような構造において、電源モジュール４０は、例えば、官制室の上部に設けられる。 
【００６９】
また、船舶に装着される旗が船舶の特定の位置、例えば、艦首旗及び艦尾旗に装着される場合、図３に示しているような旗装置１００の構造を採択することもできる。
【００７０】
一方、図８に示しているように、旗装置１００を船舶用として使用する場合、光繊維糸３が海水などに露出して腐食することを防止するために、図８のような構造を設けるのが望ましい。
【００７１】
図９は、本発明による旗装置に適用される耐水性光繊維糸に関する斜視図である。
【００７２】
図９に示しているように、耐水性光繊維糸は、光繊維糸３の外面に、芯材用原糸３３を平行に配置し、合成樹脂３２を一定の厚さでコーティングする。合成樹脂３２は、少なくとも１層以上コーティングされることができ、特に、最外層の合成樹脂は、色相を有するようにすることもできる。
【００７３】
図９の構造において、前記合成樹脂３２を塗布して形成された合成樹脂層の厚さ、すなわち、光繊維糸３の外面から合成樹脂３２の外面までの長さは、８〜１０ミクロンに設け、前記芯材用原糸３３の径は、３〜５ミクロンに設ける。これにより、芯材用原糸３３が合成樹脂３２に嵌め込められ、外部に露出しない。
【００７４】
上述したような芯材用原糸３３は、金属性繊維、合成繊維、動物性繊維から択一され、前記金属性繊維は、銀糸、鉄糸、チタン糸、アルミニウム糸、銅糸であり、前記合成繊維は、ナイロン、ポリエステル、アクリルであり、前記動物性繊維は、シルク、くもの糸であるのが望ましい。
【００７５】
以上、本発明者によって行われた発明を前記実施例よって具体的に説明したが、本発明は、前記実施例に限定されるものではなく、その要旨を離脱しない範囲でいろいろに変更可能であることは言うまでもない。
【００７６】
すなわち、前記実施例においては、電源供給部の太陽電池板によって生成された電源を光源部に供給する構造として説明したが、これに限定されるものではなく、一定の期間にのみ、本発明による旗を使用する場合、バッテリーを使っても良い。
【００７７】
また、図９の構造では、光繊維糸３の外面に、芯材用原糸３３を平行に配置した構造として説明したが、これに限定されることではなく、芯材用原糸３３をコイル型に巻き取る構造に設け、合成樹脂３２を一定の厚さでコーティングした構造として設けることもできる。
【産業上の利用可能性】
【００７８】
本発明の旗装置を用いることによって、夜間にも、船舶、食堂、商店などの旗に表示された文字又は図案を確実に認識することができる。
【符号の説明】
【００７９】
１０      支持台
１００    旗装置
２        旗
２１      露出部
２２      糸
２５      保護層
３        光繊維糸
３０      連結部材
３２      合成樹脂
３３      芯材用原糸
４        束部
４０      モジュール
５        光源部
６        電源供給部
７        制御部
８        反射シート
【図１】
0006446449.tif 000002
【図２】
0006446449.tif 000003
【図３】
0006446449.tif 000004
【図４】
0006446449.tif 000005
【図５】
0006446449.tif 000006
【図６】
0006446449.tif 000007
【図７】
0006446449.tif 000008
【図８】
0006446449.tif 000009
【図９】
0006446449.tif 000010